(57)【要約】【課題】  複数の商品販売データ処理装置が接続されたネットワーク上で上位装置を有しない場合でも、ネットワークに接続された他の商品販売データ処理装置の商品販売データを合算処理させる。【解決手段】  上位装置でないＰＯＳ端末装置は、ネットワークに接続されたＰＯＳ端末装置のネットワーク上におけるＰＯＳ端末装置の装置名を設定し（ＳＴ１０２）、その設定された装置名に対応するＰＯＳ端末装置に登録された商品販売データを取得し（ＳＴ１０５からＳＴ１０８）、その取得した商品販売データを合算し（ＳＴ１０９）、合算した商品販売データが示す販売した商品に関する合算レポートを報知する（ＳＴ１１０，ＳＴ１１２）。【選択図】図８
2007004559.tif 000002
【特許請求の範囲】
【請求項１】
販売する商品に関する商品販売データを登録し、指定された指示に応じて前記商品販売データに関する処理を行う商品販売データ処理装置が少なくとも２以上が接続されたネットワークで使用されるとともに前記ネットワークにおいて上位装置を有さない商品販売データ処理装置において、
前記ネットワークに接続された商品販売データ処理装置の前記ネットワーク上における商品販売データ処理装置の少なくとも２以上の装置名を設定する装置名設定手段と、
前記装置名設定手段で設定された装置名に対応する商品販売データ処理装置に登録された商品販売データを取得する商品販売データ取得手段と、
前記商品販売データ取得手段で取得した商品販売データを合算する商品販売データ合算手段と、
前記商品販売データ合算手段で合算した商品販売データが示す合算レポートを報知する商品販売データ報知手段とを具備することを特徴とする商品販売データ処理装置。
【請求項２】
前記商品販売データのうちから所定のデータを指定するデータ指定手段をさらに具備し、
前記商品販売データ取得手段は、前記装置名設定手段で設定された装置名に対応する商品販売データ処理装置で、かつ、前記データ設定手段で指定されたデータのみを取得することを特徴とする請求項１記載の商品販売データ処理装置。
【請求項３】
前記登録される商品販売データを、前記商品販売データ合算手段で商品販売データを合算したか否かにかかわらず、次回の開局時まで保持する商品販売データ保持手段をさらに具備することを特徴とする請求項１記載の商品販売データ処理装置。
【発明の詳細な説明】
【技術分野】
【０００１】
本発明は、複数の商品販売データ処理装置が接続されたネットワークにおいて、上位装置を有しない商品販売データ処理装置に関する。
【背景技術】
【０００２】
コンビニエンスストア、量販店等の店舗においては、ＰＯＳ（販売時点情報管理）システムを用い、ＰＯＳ端末装置で販売時に販売した商品の登録を行い販売商品の管理を行っている。具体的なシステムでは、例えばＰＯＳ端末装置（サテライトＰＯＳ）を各売場に配置しておき、これらのＰＯＳ端末装置をマスタＰＯＳ（ＰＯＳ端末装置の上位装置）とネットワークで接続したものがある。このようなマスタＰＯＳはサテライトＰＯＳからデータを取得できるように必要な設定がなされている。そして、閉局業務、任意のタイミング等に、マスタＰＯＳはサテライトＰＯＳから販売した商品に関する商品販売データを取得し、売上の合算等のデータ処理を行うことにより店舗全体の商品の販売状況等の管理を行っている。
【０００３】
なお、各金銭登録機にそれぞれ接続されている自動釣銭機の金種別の収納貨幣枚数を各金銭登録機に伝送回線を介して接続された上位機種で一括集中して確認できるようにしたものが知られている（例えば、特許文献１参照）。
【０００４】
一方、マスタＰＯＳのような上位装置を有さない商品販売データ処理装置であるＰＯＳ端末装置もある。このようなＰＯＳ端末装置は、各ＰＯＳ端末装置がネットワークで接続されていたとしても、ＰＯＳ端末装置毎に商品販売データを処理するようになっている。
【特許文献１】特許第２９８７２８７号公報
【発明の開示】
【発明が解決しようとする課題】
【０００５】
マスタＰＯＳのような上位装置を有さないＰＯＳ端末装置が複数ネットワークに接続された店舗において、ユーザは、店舗内の任意のＰＯＳ端末装置を操作してネットワークに接続された他のＰＯＳ端末装置に登録された商品販売データを合算させた処理、例えば合算レポートのような処理を希望する場合もある。
【０００６】
しかしながら、上位装置を有さないＰＯＳ端末装置によりシステムが構築された店舗においては、マスタＰＯＳとサテライトＰＯＳからなるＰＯＳシステムのようにマスタＰＯＳで商品販売データを管理するための設定がなされていないため、他のＰＯＳ端末装置と商品販売データを合算させる処理をＰＯＳ端末装置で行うことができない。
【０００７】
本発明は上記事情に鑑みてなされたものであって、その目的は、複数の商品販売データ処理装置が接続されたネットワーク上で上位装置を有しない場合でも、ネットワークに接続された他の商品販売データ処理装置の商品販売データを合算処理することができる商品販売データ処理装置を提供することにある。
【課題を解決するための手段】
【０００８】
本発明は、販売する商品に関する商品販売データを登録し、指定された指示に応じて商品販売データに関する処理を行う商品販売データ処理装置が少なくとも２以上が接続されたネットワークで使用されるとともにネットワークにおいて上位装置を有さない商品販売データ処理装置において、ネットワークに接続された商品販売データ処理装置のネットワーク上における商品販売データ処理装置の装置名を設定し、その設定された装置名に対応する商品販売データ処理装置に登録された商品販売データを取得し、その取得した商品販売データを合算し、合算した商品販売データが示す合算レポートを報知するものである。
【発明の効果】
【０００９】
本発明によると、複数の商品販売データ処理装置が接続されたネットワーク上で上位装置を有しない場合でも、ネットワークに接続された他の商品販売データ処理装置の商品販売データを合算処理することができる商品販売データ処理装置を提供できる。
【発明を実施するための最良の形態】
【００１０】
以下、本発明の一実施の形態について図面を参照して説明する。  
図１は、本実施の形態に係わるネットワーク構成を概略的に示す図である。Ａ店には、ＰＯＳ端末装置１，２が設置されており、Ｂ店にはＰＯＳ端末装置３，４が設置されている。これらのＰＯＳ端末装置１から４は、ネットワーク５を介して通信可能に接続されている。なお、本実施の形態では説明を簡略化するためＡ店とＢ店の２つの店、Ａ店にＰＯＳ端末装置１，２、Ｂ店にＰＯＳ端末装置３，４が設置されている場合で説明するが、店舗数やＰＯＳ端末装置の台数はこれに限定されるものではない。なお、ＰＯＳ端末装置１から４は、それぞれ商品販売データ処理装置である。
【００１１】
ＰＯＳ端末装置１から４は、マスタＰＯＳとサテライトＰＯＳのような階層関係を有するものではなく、それぞれのＰＯＳ端末装置１から４にて、登録している販売した商品に関する商品販売データの処理、例えば後述する合算レポート出力処理を行うことができるようになっている。
【００１２】
次にＰＯＳ端末装置１の要部構成について説明する。なお、ＰＯＳ端末装置２から４の要部構成は同様な構成であるため、ＰＯＳ端末装置１の要部構成についてのみ説明し、ＰＯＳ端末装置２から４については説明を省略する。
【００１３】
図２はＰＯＳ端末装置１の要部構成を示すブロック図である。ＰＯＳ端末装置１は、制御部本体を構成するＣＰＵ１１に、ＰＯＳ端末装置として動作するために周知のプログラム、後述する合算レポート出力処理及び商品販売データクリア処理を実行するプログラム等のプログラムを格納したＲＯＭ１２、後述するＰＯＳ端末装置名を示すデータ、販売する商品を所定の部門に分けたテーブルを示すデータ、販売した商品に関する商品販売データ、合算レポート出力処理において部門の指定がされた場合にその部門を示すデータ等の各種データを記憶するＲＡＭ１３、現在の日時を計時する時計部１４、Ｉ／Ｏポート１５、ネットワークコントローラ１６、キーボードコントローラ１７、タッチパネルコントローラ１８、ディスプレイコントローラ１９、プリンタコントローラ２０、スキャナインタフェース（Ｉ／Ｆ）２１等をバス接続してなる制御回路を内蔵している。  
そして、Ｉ／Ｏポート１５にモードスイッチ２２とドロワ開放装置２３とを接続し、ネットワークコントローラ１６にネットワーク５を接続し、キーボードコントローラ１７にキーボード２４を接続し、タッチパネルコントローラ１８にタッチパネル付ディスプレイのタッチパネルセンサ２５とディスプレイ２６とを接続し、ディスプレイコントローラ１９に客用ディスプレイ２７を接続し、プリンタコントローラ２０にプリンタ２８を接続し、スキャナインタフェース２１にスキャナ２９を接続している。
【００１４】
モードスイッチ２２は、登録モード、設定モード、点検モード、精算モード等の各種業務モードを選択するためのものである。登録モードは、販売した商品の登録を行うモードである。設定モードは、例えば後述する合算レポート処理を行うときに収集対象となるＰＯＳ端末装置名を設定するモードである。点検モードは、１日の売上げの点検や各種設定内容の一覧リストを発行するモードである。精算モードは１日の業務を精算するモードである。ネットワークコントローラ１６は、ネットワーク５を通じて行なうデータ通信を制御する。キーボードコントローラ１７は、キーボード２４から操作されたキーに対応するキー信号を取り込みＣＰＵ１１に知らせる。タッチパネルコントローラ１８は、ＣＰＵ１１からの指令によりディスプレイ２６に各種の画面を選択的に表示させるとともに、タッチパネルセンサ２５の信号を取り込みタッチ位置座標を求めてＣＰＵ１１に知らせる。ディスプレイコントローラ１９は、表示データに対応した文字等を客用ディスプレイ２７に表示させる。プリンタコントローラ２０は、プリンタ２８によるレシート印字及びジャーナル印字を制御する。スキャナインタフェース（Ｉ／Ｆ）２１は、スキャナ２９にてスキャニングされたバーコードデータを入力する。
【００１５】
ＲＡＭ１３の一部の領域には、ネットワーク５に接続されているＰＯＳ端末装置１から４のＰＯＳ端末装置名を示すデータとして、ネットワーク５上におけるＰＯＳ端末装置１から４のアドレスを示すデータが記憶される。例えば、ＰＯＳ端末装置１のネットワーク５におけるアドレスである「ｘｘｘｘｘｘｘｘ．Ａ店１番」が、ＰＯＳ端末装置１のＰＯＳ端末装置名を示すデータとして記憶される。さらに、ＰＯＳ端末装置２から４のネットワーク５におけるアドレスである「ｘｘｘｘｘｘｘｘ．Ａ店２番」、「ｘｘｘｘｘｘｘｘ．Ｂ店１番」、「ｘｘｘｘｘｘｘｘ．Ｂ店２番」が、ＰＯＳ端末装置２から４のＰＯＳ端末装置名を示すデータとしてそれぞれ記憶される。これらのＰＯＳ端末装置名を示すデータは、例えば、図３に示すようなテーブルＴ１に記憶される。図３は、ネットワーク５における自己のＰＯＳ端末装置名「ｘｘｘｘｘｘｘｘ．Ａ店１番」とネットワーク５に接続された他のＰＯＳ端末装置名「ｘｘｘｘｘｘｘｘ．Ａ店２番」、「ｘｘｘｘｘｘｘｘ．Ｂ店１番」、「ｘｘｘｘｘｘｘｘ．Ｂ店２番」を記憶したテーブルＴ１である。すなわち、図３に示すように、ネットワーク５における自己のＰＯＳ端末装置名（アドレス）と、ネットワーク５に接続している他のＰＯＳ端末装置２から４のＰＯＳ端末装置名（アドレス）が記憶される。
【００１６】
また、ＲＡＭ１３の他の領域の一部には、販売する商品として登録されている商品を所定の部門に分けたテーブルＴ２が記憶される。図４は、テーブルＴ２を示す図である。図４に示すように、部門は、「０００１」から始まる番号である部門コードとその部門コードに設定された部門名とが対応して記憶される。部門コード「０００１」には部門名「雑誌」が対応して記憶されており、部門コード「０００２」には部門名「コミック」が対応して記憶されている。なお、図示は省略するが、部門毎に、販売する商品のアイテム名及びそのアイテムの単価等を設定したテーブルも用意されている。図４においては、説明の都合上、部門コード「０００１」、「０００２」しか示していないが、これら以外の部門コードにも部門名が対応して記憶されており、販売する商品全てに対して部門コードが設定されている。
【００１７】
次に登録モードで販売した商品を登録したときに、その登録された商品すなわち販売された商品に関するＲＡＭ１３に登録される商品販売データについて説明する。図５は商品販売データの一例を示すテーブルＴ３１である。図５に示すように、「部門コード」、「部門名」、「点数」、「値引／割引」、「返品」、「客数」、「金額」を示すエリアに販売された商品を示すデータが登録される。すなわち、商品販売時に、スキャナ２９により入力されたバーコードデータやタッチパネルセンサ２５で入力されたデータから、その販売された商品の部門コード、部門名が決定される。そして、その決定された部門コード及び部門名に対応する「点数」、「値引／割引」、「返品」、「客数」、「金額」のエリアにそれぞれのデータが登録される。図５では、雑誌が１人の客に１冊ずつ販売され、その２冊の雑誌の合計金額が３，０００円で、値引／割引、返品が無かった場合を示しており、部門コード「０００１」及び部門名「雑誌」に対応する「点数」のエリアに「２」、「客数」のエリアに「２」、「金額」のエリアに「３０００」が登録されており、「値引／割引」のエリア、「返品」のエリアは「０」のままとなっている。
【００１８】
なお、ＲＡＭ１３に登録される商品販売データは、ＰＯＳ端末装置１から４でそれぞれ異なるものである。このため、ＰＯＳ端末装置２から４に登録されている商品販売データを示すテーブルＴ３２からＴ３４についてそれぞれ説明する。
【００１９】
図６は、ＰＯＳ端末装置２に登録されている商品販売データを示すテーブルＴ３２である。図６では、コミックが１人の客に１冊販売され、その金額が２５，０００円で、値引／割引、返品が無かった場合を示しており、部門コード「０００２」及び部門名「コミック」に対応する「点数」のエリアに「１」、「客数」のエリアに「１」、「金額」のエリアに「２５０００」が登録されており、「値引／割引」のエリア、「返品」のエリアは「０」のままとなっている。
【００２０】
図７は、ＰＯＳ端末装置３に登録されている商品販売データを示すテーブルＴ３３である。図７では、商品が販売されていない場合であり、各部門コード及び部門名に対応する「点数」、「値引／割引」、「返品」、「客数」、「金額」のエリアは、「０」のままである。なお、ＰＯＳ端末装置４はＰＯＳ端末装置３と同様に商品が販売されていないため、商品販売データを示すテーブルＴ３４は、上述のテーブルＴ３４と同一であるため図示を省略する。
【００２１】
次に、合算レポート出力処理について説明する。合算レポート出力処理は、ネットワーク５に接続されたいずれかのＰＯＳ端末装置で、他のＰＯＳ端末装置と商品販売データを合算して出力するための処理である。
【００２２】
図８は、合算レポート出力処理を示すフローチャートである。ユーザが設定モードで合算レポートの収集対象となるＰＯＳ端末装置を設定した後（この設定は、例えば、ＲＡＭ１３に記憶されているＰＯＳ端末装置名を呼び出して設定される。）、点検モードで店合計キーが入力されると、ＣＰＵ１１はこの処理を開始する。なお、店合計キーが押される前にユーザは、タッチパネルセンサ２５を操作することにより合算レポートの収集対象となる部門を指定できるようになっている。この部門の指定は、例えば、点検モードにおいてタッチパネルセンサ２５のキーに予め部門を指定するためのキーを割り当てておき、そのキーを入力した後、部門コードの入力又は部門名を入力することに指定する。
【００２３】
ＣＰＵ１１は、合算レポートを実行するか否かの指示、すなわち、点検モードで店合計キーの入力を受け付けたか否かを判断する（ＳＴ１０１）。点検モードで店合計キーの入力を受け付けるまではこの処理は開始されず（ＳＴ１０１でＮＯ）、点検モードで店合計キーの入力を受け付けたと判断すると（ＳＴ１０１でＹＥＳ）、ＣＰＵ１１は設定モードで設定されたＰＯＳ端末装置名を取得し、その取得したＰＯＳ端末装置を合算レポートの収集対象として設定する（ＳＴ１０２，装置名設定手段）。
【００２４】
設定モードで設定されたＰＯＳ端末装置名を取得すると、ＣＰＵ１１は商品販売データを取得するデータの指定はあるか否か、つまり、部門の指定はあるか否かを判断する（ＳＴ１０３）。例えば、ＣＰＵ１１は商品販売データを取得する部門を示すデータがＲＡＭ１３の所定エリアに格納されているか否かに基づいて判断をする。部門の指定がタッチパネルセンサ２５によりなされると、その指定された部門を示すデータがＲＡＭ１３の所定のエリアに格納される。したがってＣＰＵ１１は当該所定のエリアに部門を示すデータが格納されていれば部門の指定はあると判断し、当該所定のエリアに部門を示すデータが格納されていなければ部門の指定は無いと判断する。商品販売データを取得する部門の指定があると判断すると（ＳＴ１０３、ＹＥＳ）、ＣＰＵ１１その指定された部門を合算レポートの収集対象として設定する（ＳＴ１０４，データ指定手段）。なお、ＳＴ１０３でＮＯと判断されると、すなわち、部門の指定が無い場合はステップＳＴ１０４の処理はパスされる。
【００２５】
このように、合算レポートの収集対象となるＰＯＳ端末装置名（ＳＴ１０３でＹＥＳの場合は、さらに部門）の設定がされると、ＣＰＵ１１は設定された全てのＰＯＳ端末装置から商品販売データを取得したか否かを判断する（ＳＴ１０５）。
【００２６】
このステップＳＴ１０５でＮＯと判断すると、ＣＰＵ１１は設定されたＰＯＳ端末装置名から１つのＰＯＳ端末装置名を選択し（ＳＴ１０６）、その選択されたＰＯＳ端末装置名が示すネットワーク５上のＰＯＳ端末装置と通信を行い、その通信相手であるＰＯＳ端末装置のＲＡＭ１３に登録されている商品販売データを取得する（ＳＴ１０７）。具体的には、ＰＯＳ端末装置１がＰＯＳ端末装置２から商品販売データを取得する場合には、ＰＯＳ端末装置１は、ＰＯＳ端末装置２のＲＡＭ１３のテーブルＴ３２に登録された商品販売データから部門コード「０００２」及び部門名「コミック」に対応する「点数」エリアの「１」、「値引／割引」のエリアの「０」、「返品」のエリアの「０」、「客数」のエリアの「２」、「金額」のエリアの「２５０００」を示すデータを取得する。なお、部門の指定がされていれば、その部門に対応する「点数」、「値引／割引」、「返品」、「客数」、「金額」のエリアに登録されたデータのみが取得される。そして、ＣＰＵ１１は取得した商品販売データをＲＡＭ１３の所定のエリアに記憶する（ＳＴ１０８）。
【００２７】
このようにステップＳＴ１０６で選択したＰＯＳ端末装置名が示すＰＯＳ端末装置から商品販売データを取得すると、ＣＰＵ１１は再びステップＳＴ１０５の判断を行う。すなわち、合算レポートの収集対象として設定された全てのＰＯＳ端末装置から商品販売データの取得をしたか否かを判断する（ＳＴ１０５）。このようにステップＳＴ１０５からＳＴ１０８の処理（商品販売データ取得手段）を繰り返すことにより、合算レポートの収集対象として設定されたＰＯＳ端末装置名が示すＰＯＳ端末装置の全てから商品販売データを取得することができる。また、合算レポートの収集対象となる商品販売データの部門が指定されている場合には、その指定された部門の商品販売データのみを合算レポートの収集対象として設定されたＰＯＳ端末装置名が示すＰＯＳ端末装置から取得することができる。
【００２８】
一方、ステップＳＴ１０５の判断でＹＥＳと判断すると、ＣＰＵ１１はステップＳＴ１０５からＳＴ１０８で取得して、ＲＡＭの所定のエリアに記憶している商品販売データを部門毎に合算する処理を行う（ＳＴ１０９，商品販売データ合算手段）。これにより、合算レポートの収集対象となるＰＯＳ端末装置から取得した商品販売データを部門に対応させて「点数」、「値引／割引」、「返品」、「客数」、「金額」のエリアごとに合算することができる。具体的には、ＰＯＳ端末装置１から４の合算した商品販売データとして、部門コード「０００１」及び部門名「雑誌」に対応する「点数」、「値引／割引」、「返品」、「客数」、「金額」のエリアに「２」、「０」、「０」、「２」、「３０００」、部門コード「０００２」及び部門名「コミック」に対応する「点数」、「値引／割引」、「返品」、「客数」、「金額」のエリアに「１」、「０」、「０」、「１」、「２５０００」が算出される。図９は、合算された商品販売データを示すテーブルＴ４である。なお、この実施の形態においては、ステップＳＴ１０９の合算処理を行うとき、全ての部門の合計金額を算出し、各部門の合計金額が全ての部門の合計金額のなかでどれだけ占有しているかを示す占有率も算出するようになっている。
【００２９】
商品販売データの合算処理が終了すると、ＣＰＵ１１は合算した商品販売データを合算レポートしてディスプレイ２６に表示する（ＳＴ１１０，商品販売データ報知手段）。このように合算レポートをディスプレイ２６に表示すると、ＣＰＵ１１は合算レポートの印字が指示されたか否かを判断する（ＳＴ１１１）。この印字の指示は、例えば、タッチパネルセンサ２５で実行キーが入力されたか否かにより判断する。
【００３０】
印字の指示がされたと判断すると（ＳＴ１１１でＹＥＳ）、ＣＰＵ１１は、合算レポートのデータ、合算レポートを印字出力するための印字フォーマットのデータ、時計部１４が計時した現在の時刻を示す時刻データ等を取得し、取得した印字フォーマットで印字ができるように印字データを生成し、生成した印字データに基づいて合算レポートの印字を行う（ＳＴ１１２，商品販売データ報知手段）。印字の指示がされない場合は（ＳＴ１１１でＮＯ）、ＣＰＵ１１は合算レポートのディスプレイ２６への表示の終了が指示されたか否かを判断する（ＳＴ１１３）。終了の指示がされなければ（ＳＴ１１３でＮＯ）、印字が指示されたか否かを判断するステップＳＴ１１１の処理へ戻る。これにより、合算レポートをユーザに報知することができる。なお、ユーザへの合算レポートの報知はディスプレイ２６への表示によるものでも良いし、合算レポートの印字出力により得られた印字出力結果によるものでも良い。終了の指示がなされると（ステップＳＴ１１３でＹＥＳ）、ＣＰＵ１１はディスプレイ２６に表示している合算レポートの表示を消去し（ＳＴ１１４）、ＣＰＵ１１は合算レポート出力処理を終了する。
【００３１】
次に、商品販売データクリア処理について説明する。図１０は商品販売データクリア処理（商品販売データ保持手段）を示すフローチャートである。
【００３２】
ＣＰＵ１１は、開局か否かを判断する（ＳＴ２０１）。この判断は例えば、ＰＯＳ端末装置１の電源スイッチがＯＮとなり、電源が投入されたときに自動的に開局のための処理を行うタイプであれば、その開局処理が終了したか否かに基づいて判断される。開局と判断すると（ＳＴ２０１でＹＥＳ）、ＣＰＵ１１はＲＡＭ１３に登録している商品販売データをクリアする（ＳＴ２０２）。すなわち、開局処理が行われた場合にのみ商品販売データがクリアされる。
【００３３】
続いて、このようにネットワーク５に接続されたＰＯＳ端末装置で合算レポートを出力する場合の作用について説明する。以下では、ユーザがＰＯＳ端末装置１を操作して、ＰＯＳ端末装置１に登録されている商品販売データとＰＯＳ端末装置２から４に登録されている商品販売データとの合算レポートを出力する場合で説明する。
【００３４】
Ａ店に設置されたＰＯＳ端末装置１，２、Ｂ店に設置されたＰＯＳ端末装置３，４の全てのＰＯＳ端末装置の合算レポート出力させるために、先ずユーザはＰＯＳ端末装置１のモードスイッチ２２を設定モードにする。これによりＰＯＳ端末装置１を設定モードとなる。ＰＯＳ端末装置１の設定モードにおいて、ユーザは、タッチパネルセンサ２５を用いて合算レポートの収集対象となるＰＯＳ端末装置の設定を行うことができる。ユーザは、商品販売データの収集対象として、ＰＯＳ端末装置１から４を設定する。図１１は、ＰＯＳ端末装置１から４を合算レポートに関する商品販売データの収集対象として設定したときのディスプレイ２６の表示例である。ＰＯＳ端末装置１から４のＰＯＳ端末装置名がそれぞれ設定されている。
【００３５】
ユーザは、合算レポートの収集対象としてＰＯＳ端末装置１から４を設定すると、モードスイッチ２２を切り替えてＰＯＳ端末装置１を設定モードから点検モードに変更する。ユーザは点検モードにおいてＰＯＳ端末装置１のタッチパネルセンサ２５で店合計キーを押下する。なお、ユーザが商品販売データを収集する部門を指定するときは、店合計キーを押下する前に部門を指定するためのキーを押下した後、部門コード又は部門名を入力する。
【００３６】
店合計キーが押下されると、設定モードで設定された合算レポートの収集対象となるＰＯＳ端末装置名「ｘｘｘｘｘｘｘｘ．Ａ店１番」、「ｘｘｘｘｘｘｘｘ．Ａ店２番」、「ｘｘｘｘｘｘｘｘ．Ｂ店１番」、「ｘｘｘｘｘｘｘｘ．Ｂ店２番」、すなわちＰＯＳ端末装置１から４のそれぞれからＲＡＭ１３に登録されている商品販売データを取得する。したがって、商品販売データとして、ＰＯＳ端末装置１に登録されている部門コード「０００１」及び部門名「雑誌」に対応する「点数」、「値引／割引」、「返品」、「客数」、「金額」のエリアからそれぞれ「２」、「０」、「０」、「２」、「３０００」を示すデータを、ＰＯＳ端末装置に登録されている部門コード「０００２」及び部門名「コミック」に対応する「点数」、「値引／割引」、「返品」、「客数」、「金額」のエリアからそれぞれ「１」、「０」、「０」、「１」、「２５０００」を示す商品販売データが取得される。ＰＯＳ端末装置３，４からは全てのエリアが「０」のデータが取得される。このようにＰＯＳ端末装置１から４の商品販売データを取得すると、取得した商品販売データを部門ごとに合算し、商品販売データを合算した合算レポートをディスプレイ２６に表示する。
【００３７】
図１２は、ディスプレイ２６に表示された合算レポートの表示例を示す図である。図１２に示すように、「部門コード」、「部門名」、「占有率」、「客数」、「点数」、「金額」、「値引／割引」、「返品」の項目ごとに取得した商品販売データが合算された合算レポートが表示されるとともに、さらに部門ごとの数字を合算した合計金額が「￥２８０００」、合計の点数が「３点」、値引／割引が「０点  ￥０」、返品が「０点  ￥０」と表示されている。なお、占有率は総売上げに対する各部門の売上げの割合を示している。このようにユーザはディスプレイ２６の表示により、合算レポートを視認することができる。
【００３８】
また、ユーザは、合算レポートを印字出力する場合には、タッチパネルセンサ２５の印字を実行するための実行キー（図示しない。）を押下する。このように実行キーが押下されると、ＰＯＳ端末装置１は、合算処理した商品販売データ、レシートを印字するための印字フォーマットのデータ、時計部１４から取得した現在時刻を示すデータ等に基づいて、プリンタコントローラ２０を制御して合算レポートを印字発行する。
【００３９】
図１３は、このようにして印字発行されたレシート３０の例を示す図である。ディスプレイ２６に表示された内容と同内容の合算レポートが印字されている。すなわち、「部門コード」、「部門名」、「占有率」、「客数」、「点数」、「金額」、「値引／割引」、「返品」の項目ごとに合算処理された合算レポートのデータに基づいて印字されるとともに、さらに部門ごとの数字を合算した合計金額が「￥２８０００」、合計の点数が「３点」、値引／割引が「０点  ￥０」、返品が「０点  ￥０」と印字されている。
【００４０】
この実施の形態のＰＯＳ端末装置１は、ネットワーク５上でＰＯＳ端末装置２から４の商品販売データを管理する機能を有するマスタＰＯＳのような上位装置ではないが、ＰＯＳ端末装置１から４をＰＯＳ端末装置名で指定することにより、ＲＡＭ１３に登録されている自己の商品販売データと、ＰＯＳ端末装置２から４それぞれから取得したＰＯＳ端末装置２から４にそれぞれ登録されている商品販売データとを合算させる処理をして合算レポートを作成し、その合算レポートをユーザに報知することができる。
【００４１】
したがって、ネットワーク５上で上位装置を有さない場合でも、ネットワーク５に接続されたＰＯＳ端末装置から合算レポートの収集対象として設定したＰＯＳ端末装置の商品販売データを合算させることができユーザの利便性を向上させることができる。
【００４２】
また、合算レポートの処理を開始する店合計キーを押下する前に、部門を指定することにより、合算レポートの収集対象として設定したＰＯＳ端末装置から、指定した部門の商品販売データのみを合算処理した合算レポートを作成することができる。このように部門に絞って合算レポートを算出することができるため、ある部門についての販売状況等を確認したい場合に大変便利である。
【００４３】
また、ＰＯＳ端末装置１は、ネットワーク５で接続されているとともにＰＯＳ端末装置名を指定できのであれば、店舗Ａと店舗Ｂのように、異なる店舗間でも商品販売データを合算処理し、合算レポートを作成することができる。
【００４４】
さらに、ＰＯＳ端末装置１は、開局までＲＡＭに登録された商品販売データをクリアしない。すなわち、ＰＯＳ端末装置１は、合算レポートの収集対象となっており、商品販売データを出力してもＲＡＭ１３に登録された商品販売データをクリアされずにデータを保持することができる。
【００４５】
さらに、図４の説明時に述べたように、各部門は、さらに販売する商品であるアイテム毎に管理されている。このため、ＲＡＭ１３に登録する商品販売データもアイテム毎に登録しておくことも可能である。このように商品販売データをアイテム毎に登録しておくことにより、ＰＯＳ端末装置１は、点検モードで店合計キーを押下する前に、アイテムを指定すれば、アイテムを指定した合算レポートを作成することもできる。アイテムの指定は、例えば、アイテムを指定するためのキーをタッチパネルセンサ２５に割り付けておき、そのキーが入力された後アイテムを指定できるようにすれば良い。
【００４６】
なお、本発明は、上述した実施の形態そのままに限定されるものではなく、実施段階ではその要旨を逸脱しない範囲で構成要素を変形して具体化できるものである。
【図面の簡単な説明】
【００４７】
【図１】本発明の実施の形態におけるネットワーク構成を概略的に示す図。
【図２】同実施の形態におけるＰＯＳ端末装置の要部構成を示すブロック図。
【図３】同実施の形態におけるＰＯＳ端末装置名を説明するための図。
【図４】同実施の形態における部門コードと部門名との対応関係を示す図。
【図５】同実施の形態における商品販売データの一例を示すテーブル。
【図６】同実施の形態における商品販売データの一例を示すテーブル。
【図７】同実施の形態における商品販売データの一例を示すテーブル。
【図８】同実施の形態における合算レポート出力処理を示すフローチャート。
【図９】同実施の形態における合算された商品販売データの一例を示すテーブル。
【図１０】同実施の形態における商品販売データクリア処理を示すフローチャート。
【図１１】同実施の形態における合算レポート出力の対象となるＰＯＳ端末装置名の設定画面例を示す図。
【図１２】同実施の形態における合算レポートの表示例を示す図。
【図１３】同実施の形態における合算レポートの印字例を示す図。
【符号の説明】
【００４８】
１から４…ＰＯＳ端末装置，１１…ＣＰＵ，１２…ＲＯＭ，１３…ＲＡＭ，２６…ディスプレイ，３０…合算レポート印字出力結果，Ｔ１，Ｔ２，Ｔ３１，Ｔ３２，Ｔ３３，Ｔ３４，Ｔ４…テーブル
【図１】
2007004559.tif 000003
【図２】
2007004559.tif 000004
【図３】
2007004559.tif 000005
【図４】
2007004559.tif 000006
【図５】
2007004559.tif 000007
【図６】
2007004559.tif 000008
【図７】
2007004559.tif 000009
【図８】
2007004559.tif 000010
【図９】
2007004559.tif 000011
【図１０】
2007004559.tif 000012
【図１１】
2007004559.tif 000013
【図１２】
2007004559.tif 000014
【図１３】
2007004559.tif 000015